(57)【特許請求の範囲】
【請求項１】
冷却貯蔵庫内の上部に冷却装置を備えると共に、冷却貯蔵庫内を冷気が通過できる棚板で区画し、冷気を循環させる方式の冷却貯蔵庫において、棚板の庫内奥側に被冷却物が庫内奥壁と密着するのを防止するためのバッグガードを取り付けると共に、棚板とバッグガードの前後面との間に両者の位置決めを行う凹凸部を設けて成り、前記凹凸部は左右方向の中央に設けられていることを特徴とする冷却貯蔵庫の棚板。
【請求項２】
冷却貯蔵庫内の上部に冷却装置を備えると共に、冷却貯蔵庫内を冷気が通過できる棚板で区画し、冷気を循環させる方式の冷却貯蔵庫において、棚板の庫内奥側に被冷却物が庫内奥壁と密着するのを防止するためのバッグガードを取り付けると共に、棚板とバッグガードの前後面との間に両者の位置決めを行う凹凸部を設けて成り、前記凹凸部は前後の深さが異なっていることを特徴とする冷却貯蔵庫の棚板。
【請求項３】
冷却貯蔵庫内の上部に冷却装置を備えると共に、冷却貯蔵庫内を冷気が通過できる棚板で区画し、冷気を循環させる方式の冷却貯蔵庫において、棚板の庫内奥側に被冷却物が庫内奥壁と密着するのを防止するためのバッグガードを取り付けると共に、棚板とバッグガードの前後面との間に両者の位置決めを行う凹凸部を設けて成り、前記バッグガードは長尺の板状部材を折り曲げて形成したものであって庫内奥側のフレームに上方向から嵌合し得る断面コ字状の嵌合部を備えていることを特徴とする冷却貯蔵庫の棚板。
【発明の詳細な説明】
【０００１】
【発明の属する技術分野】
本発明は、冷蔵庫等の冷却貯蔵庫内の上部に冷却装置を備えると共に、冷却貯蔵庫内を冷気が通過できる棚板で区画し、冷気を循環させる方式の冷却貯蔵庫に関するものである。
【０００２】
【従来の技術】
通常、図５に示すように、食品を冷蔵する冷蔵庫，冷凍庫等の冷却貯蔵庫１は、前面側に開閉扉２を配設し、この開閉扉２を除く全周を断熱材３によって囲繞し、庫内４の上部側に冷却装置５を配設している。そして、庫内４の冷蔵空間を冷気が通過できるローラ又は網等で構成された棚板６で複数段に区画し、冷気が庫内４を循環できるようにしている。
【０００３】
【発明が解決しようとする課題】
ところが、図５の上から二番目の棚板６に載置された食品７ａのように、食品７ａが庫内奥壁８に密着して収納されると、当該食品７ａによって冷気の循環が遮られてしまう。そのため、食品７ａよりも下方の棚板６に載置された食品７ｂには冷気がいかなくなり、食品７ｂの保存期間に影響を及ぼすという欠点があった。
【０００４】
【課題を解決するための手段】
本発明は従来の前記課題に鑑みてこれを改良除去したものであって、棚板の奥側にバッグガードを取り付け、食品等の被冷蔵物が庫内奥壁に密着しないようにし、またバッグガードの取付位置を間違わないようにすることにより、庫内の全領域に冷気が万遍なく行き渡るようにした技術を提供せんとするものである。
【０００５】
而して、前記課題を解決するために本発明が採用した請求項１の手段は、冷却貯蔵庫内の上部に冷却装置を備えると共に、冷却貯蔵庫内を冷気が通過できる棚板で区画し、冷気を循環させる方式の冷却貯蔵庫において、棚板の庫内奥側に被冷却物が庫内奥壁と密着するのを防止するためのバッグガードを取り付けると共に、棚板とバッグガードの前後面との間に両者の位置決めを行う凹凸部を設けて成り、前記凹凸部は左右方向の中央に設けられていることを特徴とする冷却貯蔵庫の棚板である。
バッグガードにより、食品等の被冷蔵物が庫内奥壁と密着しなくなり、冷気を下方まで万遍なく循環させることが可能である。また棚板とバッグガードとの間に設けた凹凸により、バッグガードの取付位置を間違うことなく正確に取り付けることでき、庫内の左右間で冷気の循環がバラツクようなこともない。
【０００６】
本発明が採用した請求項２の手段は、冷却貯蔵庫内の上部に冷却装置を備えると共に、冷却貯蔵庫内を冷気が通過できる棚板で区画し、冷気を循環させる方式の冷却貯蔵庫において、棚板の庫内奥側に被冷却物が庫内奥壁と密着するのを防止するためのバッグガードを取り付けると共に、棚板とバッグガードの前後面との間に両者の位置決めを行う凹凸部を設けて成り、前記凹凸部は前後の深さが異なっていることを特徴とする冷却貯蔵庫の棚板である。
この発明によれば、バッグガードの前後面を間違うことがない。従って、バッグガードを正常に機能させることが可能であり、冷気の庫内全体における均一な循環を確保することができる。
【０００７】
本発明が採用した請求項３の手段は、冷却貯蔵庫内の上部に冷却装置を備えると共に、冷却貯蔵庫内を冷気が通過できる棚板で区画し、冷気を循環させる方式の冷却貯蔵庫において、棚板の庫内奥側に被冷却物が庫内奥壁と密着するのを防止するためのバッグガードを取り付けると共に、棚板とバッグガードの前後面との間に両者の位置決めを行う凹凸部を設けて成り、前記バッグガードは長尺の板状部材を折り曲げて形成したものであって庫内奥側のフレームに上方向から嵌合し得る断面コ字状の嵌合部を備えていることを特徴とする冷却貯蔵庫の棚板である。
この発明によれば、前記断面コ字状の嵌合部は、庫内奥側のフレームに前後面と上面の三つの面で面接合し、取り付け状態において安定する。
【０００８】
【発明の実施の形態】
以下に、本発明の構成を図面に示す発明の実施の形態に基づいて説明すると次の通りである。図１〜図４は、本発明の一実施の形態に係るものである。図１の図（Ａ）は棚板１０とバッグガード１１の取付関係を示す斜視図、図（Ｂ）は同縦断面図である。図２は棚板１０の平面図であり、図３の図（Ａ）はバッグガード１１の背面図、図（Ｂ）は同平面図、図（Ｃ）は同左側面図である。また図４の図（Ａ）はバッグガード１１の正常な取付状態を示す縦断面図であり、図（Ｂ）はバッグガード１１の間違った取付状態を示す縦断面図である。
【０００９】
同図に示す如く、この実施の形態における棚板１０は、四周辺を枠組み形成されたフレーム１２に多数のローラー１３が回転自在に並列配置されている。各ローラー１３は、冷却貯蔵庫の左右方向に長手方向が向くように配設されており、食品等の被冷蔵物はローラー１３の回転を利用して容易に出し入れができるようになっている。また棚板１０のフレーム１２は、庫内へ取り付けられた状態において、庫内奥壁と所定の間隙を形成するようになされている。
【００１０】
バッグガード１１は、庫内奥側のフレーム１２に上方向から嵌合する下向きに開口する断面コ字状の嵌合部１４と、この嵌合部１４の上面壁を手前側へ延長した部分１４ｃと、延長部分１４ｃの端縁を上向きに折り曲げて形成したストッパー部１４ｄとから成る。そして、コ字状の嵌合部１４の前面板１４ａ及び後面板１４ｂの左右方向の中央には、凹部としての切欠１５，１６が形成されている。この切欠１５及び１６は、その深さが異なるように形成されており、この実施の形態では、前面板１４ａの切欠１５の方が後面板１４ｂの切欠１６よりも深く形成されている。一方、これらの切欠１５及び１６に対応する棚板１０の庫内奥側のフレーム１２には、切欠１５及び１６の深さに対応したビス１７及び１８が凸部として取り付けられている。
【００１１】
次に、このように構成されたバッグガード１１の棚板１０への取付要領を説明する。先ず、図４の図（Ａ）に示す正常な取り付けの場合を説明する。この正常な取り付けの場合は、バッグガード１１のストッパー部１４ｄが、冷却貯蔵庫内の手前側（同図の左側）に位置するようにその向きを決め、バッグガード１１の前面板１４ａの切欠１５が棚板フレーム１２のビス１７に嵌まり込むように、また後面板１４ｂの切欠１６がフレーム１２のビス１８に嵌まり込むようにして、バッグガード１１の嵌合部１４をフレーム１２に上方向から嵌合させる。
【００１２】
これにより、同図の図（Ａ）に示すように、バッグガード１１のストッパー部１４ｄが冷却貯蔵庫の前面側（開閉扉側）を向くようになり、食品等の被冷蔵物を棚板１０に載置するに際し、食品等を奥まで一杯押し込んでも食品等が前記ストッパー部１４ｄに当接して停止し、庫内奥壁面と密着することがない。そのため、食品等と庫内奥壁面との間に所定の冷気循環用の空間を形成することができ、下位の段の棚板１０に載置された食品等にも万遍なく冷気を供給することが可能である。またバッグガード１１が冷却貯蔵庫内の左右方向において、中央に位置するようになり、庫内の左右方向においても冷気の循環量を均一にすることができ、庫内全体で均一な冷蔵（温度管理）が可能である。
【００１３】
一方、図４の図（Ｂ）に示すように、バッグガード１１の前後面の向きを間違って取り付けた不正常な場合は、バッグガード１１のストッパー部１４ｄが、冷却貯蔵庫内の奥壁側（同図の右側）に位置するようになり、バッグガード１１の前面板１４ａの切欠１５は棚板フレーム１２のビス１８に嵌まり込むようになり、また後面板１４ｂの切欠１６はフレーム１２のビス１７に嵌まり込むようになる。そのため、バッグガード１１の前後面板１４ａ，１４ｂに形成した切欠１５及び１６の深さと、フレーム１２のビス１７及び１８の高さ位置とが合わないようになり、バッグガード１１は同図の右側半分に示すように、フレーム１２に対して浮き上がった状態となり、間違った取り付けであることが容易に分かるようになる。従って、この場合はバッグガード１１の前後面の向きを反対にした後、図（Ａ）に示すように、正常な向きに取り付ければよい。
【００１４】
なお、バッグガード１１に設けた凹部としての切欠１５及び１６と、該凹部に対応するフレーム１２に設けた凸部としてのビス１７及び１８とは、凹凸関係が逆であってもよい。この場合は、フレーム１２に凹条（溝）が必要となる。また切欠１５及び１６の形状や大きさ等は適宜の変更が可能である。更に、凸部１７及び１８を形成するための材料等は、ビス以外の材料であっても、またフレーム１２と一体のものであってもよく、別材料である場合の取り付けも接着や螺子込み等の方法が適用可能である。
【００１５】
【発明の効果】
以上説明したように本発明にあっては、冷却貯蔵庫内の上部に冷却装置を備えると共に、冷却貯蔵庫内を冷気が通過できる棚板で区画し、冷気を循環させる方式の冷却貯蔵庫において、棚板の庫内奥側に被冷却物が庫内奥壁と密着するのを防止するためのバッグガードを取り付け、棚板とバッグガードとの間に両者の位置決めを行う凹凸部を設けて成り、前記凹凸部は左右方向の中央に設けられているから、バッグガードの取付位置を間違うことなく正確に取り付けることができ、バッグガードにより、食品等の被冷蔵物が庫内奥壁と密着しなくなり、冷気を下方まで万遍なく循環させることが可能である。また庫内の左右間で冷気の循環がバラツクようなことがない。
【００１６】
また本発明にあっては、凹凸部をバッグガードの前後面側に設け、前後の凹凸部の深さをそれぞれ異なるようにしたから、バッグガードの前後面を間違うことがなく取り付けることが可能である。これにより、バッグガードを正常に機能させることが可能であり、冷気の庫内全体における均一な循環を確保することができる。
【００１７】
更にまた、本発明のバッグガードは、長尺の板状部材を折り曲げて形成したものであって庫内奥側のフレームに上方向から嵌合し得る断面コ字状の嵌合部を備えている。そのため、当該断面コ字状の嵌合部は、庫内奥側のフレームに前後面と上面の三つの面で面接合し、取り付け状態において安定する。
【図面の簡単な説明】
【図１】本発明の一実施の形態に係る棚板とバッグガードとの取付関係を示すものであり、図（Ａ）は斜視図、図（Ｂ）は縦断面図である。
【図２】本発明の一実施の形態に係る棚板の平面図である。
【図３】本発明の一実施の形態に係るバッグガードを示すものであり、図（Ａ）は背面図、図（Ｂ）は平面図、図（Ｃ）は左側面図である。
【図４】本発明の一実施の形態に係るバッグガードの取付状態を示すものであり、図（Ａ）は正常な取付状態を示す縦断面図、図（Ｂ）は間違った取付状態を示す縦断面図である。
【図５】従来の棚板を備えた冷却貯蔵庫を示す縦断面図である。
【符号の説明】
１０…棚板、１１…バッグガード、１２…棚板のフレーム、１３…ローラー、１４…嵌  合部、１４ａ…前面板、１４ｂ…後面板、１４ｃ…延長部、１４ｄ…ストッパー部、１  ５…前面板の切欠、１６…後面板の切欠、１７…ビス、１８…ビス
【図１】
0003635527.tif 000002
【図２】
0003635527.tif 000003
【図３】
0003635527.tif 000004
【図４】
0003635527.tif 000005
【図５】
0003635527.tif 000006